【手続補正書】
【提出日】平成22年1月18日(2010.1.18)
【手続補正１】
【補正対象書類名】特許請求の範囲
【補正対象項目名】請求項２
【補正方法】変更
【補正の内容】
【請求項２】
請求項１において、前記制御手段の伸長工程は、全縮小状態のサブブームを伸長させる際に、先端ブームの基端部と伸縮シリンダのロッド側端部とをシリンダ・ブーム連結手段で連結し、伸縮シリンダを伸長して先端ブームに隣接する中間ブーム段より先端ブーム段を伸長させた後、先端ブームの基端部と隣接する外側の中間ブームをブーム間連結手段で固定し、シリンダ・ブーム連結手段による連結を解除して伸縮シリンダを縮小させ、次に先端ブームに隣接する中間ブーム段を当該中間ブームに隣接する次の中間ブーム段を同様にして伸長させ、先端ブーム段から基端ブームに隣接する中間ブーム段までを順次１段ブーム毎に伸長させる制御工程であり、
前記制御手段の縮小工程は、伸長状態のサブブームを縮小させる際に、基端ブームに隣接する中間ブームの基端部と伸縮シリンダのロッド側端部とをシリンダ・ブーム連結手段で連結後、基端ブームと基端ブームに隣接する中間ブーム間のブーム間連結手段の固定を解除し、伸縮シリンダを縮小して基端ブームに隣接する中間ブームを基端ブーム段内に縮小させ、次に次段の中間ブーム段を基端ブームに隣接する中間ブーム段内に同様にして縮小させ、基端ブームに隣接する中間ブーム段から先端ブーム段までを順次１段ブーム毎に縮小させる制御工程であることを特徴とする移動式クレーン。
【手続補正２】
【補正対象書類名】明細書
【補正対象項目名】００４３
【補正方法】変更
【補正の内容】
【００４３】
伸縮シリンダ７を縮小させ、シリンダ・ブーム連結手段２０を駆動させて連結ピン２３により伸縮シリンダ７のロッド側端部８ａとフィフスブーム１５の基端部１５ａとの連結を行う。
（フィフスブームの伸長）
フィフスブーム１５の基端部１５ａと伸縮シリンダ７のロッド側端部８ａとがシリンダ・ブーム連結手段２０により連結された状態で、伸縮シリンダ７を伸長させ、フィフスブーム１５を隣接するフォースブーム１４より伸長させる。
【手続補正３】
【補正対象書類名】明細書
【補正対象項目名】００４４
【補正方法】変更
【補正の内容】
【００４４】
フィフスブーム１５が伸長された状態でフィフスブーム１５の基端部１５ａとフォースブーム１４とを固定ピン駆動手段（ブーム間連結手段５０）を駆動させてフィフスブーム固定ピン１５ｄで固定する。
【手続補正４】
【補正対象書類名】明細書
【補正対象項目名】００４６
【補正方法】変更
【補正の内容】
【００４６】
伸縮シリンダ７を縮小させ、シリンダ・ブーム連結手段２０を駆動させて連結ピン２３により伸縮シリンダ７のロッド側端部８ａとフォースブーム１４の基端部１４ａとの連結を行う。
（フォースブームの伸長）
フォースブーム１４の基端部１４ａと伸縮シリンダ７のロッド側端部８ａとがシリンダ・ブーム連結手段２０により連結された状態で、伸縮シリンダ７を伸長させ、フォースブーム１４を隣接するサードブーム１３より伸長させる。
【手続補正５】
【補正対象書類名】明細書
【補正対象項目名】００４９
【補正方法】変更
【補正の内容】
【００４９】
伸縮シリンダ７を縮小させ、シリンダ・ブーム連結手段２０を駆動させて連結ピン２３により伸縮シリンダ７のロッド側端部８ａとサードブーム１３の基端部１３ａとの連結を行う。
（サードブームの伸長）
サードブーム１３の基端部１３ａと伸縮シリンダ７のロッド側端部８ａとがシリンダ・ブーム連結手段２０により連結された状態で、伸縮シリンダ７を伸長させ、サードブーム１３を隣接するセカンドブーム１２より伸長させる。
【手続補正６】
【補正対象書類名】明細書
【補正対象項目名】００５２
【補正方法】変更
【補正の内容】
【００５２】
伸縮シリンダ７を縮小させ、シリンダ・ブーム連結手段２０を駆動させて連結ピン２３により伸縮シリンダ７のロッド側端部８ａとセカンドブーム１２の基端部１２ａとの連結を行う。
（セカンドブームの伸長）
セカンドブーム１２の基端部１２ａと伸縮シリンダ７のロッド側端部８ａとがシリンダ・ブーム連結手段２０により連結された状態で、伸縮シリンダ７を伸長させ、セカンドブーム１２を隣接するベースブーム１１より伸長させる。
【手続補正７】
【補正対象書類名】明細書
【補正対象項目名】００５７
【補正方法】変更
【補正の内容】
【００５７】
メインブーム３の縮小は公知であるので詳細を省略し、サブブームの縮小工程について説明する。
（サブブーム縮小工程）
メインブーム３の縮小が終了後、同様にして伸長状態のサブブーム１０が基端側から順次縮小される。
（ベースブーム１１内へのセカンドブーム１２の挿嵌工程）
ベースブーム内に位置している伸縮シリンダ７を伸長させ、シリンダ・ブーム連結手段２０を駆動させて連結ピン２３によりセカンドブームの基端部１２ａと伸縮シリンダ７のロッド側端部８ａとを連結させる。
【手続補正８】
【補正対象書類名】明細書
【補正対象項目名】００５９
【補正方法】変更
【補正の内容】
【００５９】
伸縮シリンダ７を縮小してセカンドブーム１２をベースブーム１１内に挿嵌させる。
（セカンドブーム１２内へのサードブーム１３の挿嵌工程）
シリンダ・ブーム連結手段２０を駆動させて連結ピン２３によるセカンドブーム１２の基端部１２ａとロッド側端部８ａとの連結を解除する。
【手続補正９】
【補正対象書類名】明細書
【補正対象項目名】００６０
【補正方法】変更
【補正の内容】
【００６０】
伸縮シリンダ７を伸長させ、シリンダ・ブーム連結手段２０を駆動させて連結ピン２３によりサードブーム１３の基端部１３ａと伸縮シリンダ７のロッド側端部８ａとを連結させる。固定ピン駆動手段（ブーム間連結手段５０）を駆動させてサードブーム固定ピン１３ｄを抜くことによりサードブーム１３の基端部１３ａとセカンドブーム１２との固定を解除する。
【手続補正１０】
【補正対象書類名】明細書
【補正対象項目名】００８８
【補正方法】変更
【補正の内容】
【００８８】
１：車体
２：旋回台
３：メインブーム
３ａ：先端部
４：吊具
４ａ：ロープ
５：ブーム起伏シリンダ
６：ブーム起伏シリンダ
７：伸縮シリンダ
８：シリンダチューブ
８ａ：ロッド側端部
９：ロッド
９ａ：ロッド先端部
１０：サブブーム
１０ａ：先端部
１１：ベースブーム
１１ａ：基端部
１２：セカンドブーム
１２ａ：基端部
１２ｂ：連結穴
１２ｄ：セカンドブーム固定ピン
１３：サードブーム
１３ａ：基端部
１３ｂ：連結穴
１３ｄ：サードブーム固定ピン
１４：フォースブーム
１４ａ：基端部
１４ｂ：連結穴
１４ｄ：フォースブーム固定ピン
１５：フィフスブーム
１５ａ：基端部
１５ｂ：連結穴
１５ｄ：フィフスブーム固定ピン
１６：トップブーム
１６ａ：基端部
１６ｂ：連結穴
１６ｃ：連結ボス
１６ｄ：トップブーム固定ピン
１６ｅ：固定ピン収納部材
２０：シリンダ・ブーム連結手段
２１：連結ピン駆動シリンダ
２１ａ：ロッド側端
２１ｂ：シリンダ側端
２２：連結ピン駆動レバー
２３：連結ピン
２４：サポート
２５：トラニオン部材
２６：連結ピン収納穴
３３：連結部材
５０：ブーム間連結手段
５１：固定穴
５２：固定ボス
６６ａ、６６ｂ：アーム手段
６７ａ、６７ｂ：ガイロープ
６８ａ、６８ｂ：ガイマスト（ガイロープ基端部連結手段）
６９ａ、６９ｂ：ウインチ（ガイロープ長さ調節手段）
７０ａ、７０ｂ：控えロープ